(57)【要約】【課題】プリーツフィルタに付着した塵埃を確実に除去できる電気掃除機を提供する。【解決手段】電動送風機の駆動により空気を吸い込む主風路と、主風路と一部が共通し電動送風機の駆動により空気を吸い込む副風路W2とを選択的に切り換え可能とする。主風路に設けた集塵部ユニットの下流側でかつ主風路と副風路W2との共通部分にプリーツフィルタ92を設ける。外気導入口82の小型導入口82aをそれぞれ開閉する開閉弁85を設ける。外気導入口82からプリーツフィルタ92の上流側に導入した外気の風速を確保でき、プリーツフィルタ92に付着した塵埃を確実に除去できる。【選択図】図１
2009165690.tif 000002
【特許請求の範囲】
【請求項１】
電動送風機を収容した掃除機本体と、前記電動送風機の駆動により空気を吸い込む主風路と、この主風路と一部が共通して設けられ、前記電動送風機の駆動により空気を吸い込む副風路とを備え、前記主風路と前記副風路とを選択的に切り換え可能な電気掃除機であって、
前記主風路に設けられた集塵部と、
この集塵部の下流側でかつ前記主風路と前記副風路との共通部分に設けられ、前記集塵部を通過する空気に含まれる細塵を捕集する細塵フィルタと、
前記副風路の吸気口となり、前記細塵フィルタの上流側に外気を導入する外気導入口と、
この外気導入口を部分的に開閉する複数の開閉弁と
を具備したことを特徴とした電気掃除機。
【請求項２】
細塵フィルタ上を移動可能に設けられ、細塵フィルタで捕集した細塵をこの細塵フィルタから除去する除去手段を具備し、
開閉弁は、前記除去手段の移動位置に対応する位置の外気導入口を開く
ことを特徴とした請求項１記載の電気掃除機。
【請求項３】
軸部、および、この軸部から径方向に突出し開閉弁に当接することでこの開閉弁を開く複数の当接片を備えた回転部材と、
この回転部材を回動させる回動機構とを具備した
ことを特徴とした請求項１または２記載の電気掃除機。
【請求項４】
細塵フィルタは、上下方向に沿うプリーツ形状を有するプリーツフィルタである
ことを特徴とした請求項１ないし３いずれか一記載の電気掃除機。
【発明の詳細な説明】
【技術分野】
【０００１】
本発明は、細塵フィルタに外気を導入してこの細塵フィルタを洗浄する電気掃除機に関する。
【背景技術】
【０００２】
従来、この種の電気掃除機は、電動送風機を収容した掃除機本体を備えている。この掃除機本体には、電動送風機の吸込側に連通する集塵室に、電動送風機の駆動によって吸い込まれた空気に含まれる塵埃を捕集する集塵装置が取り付けられている。この集塵装置は、吸い込まれた空気に含まれる塵埃のうち、比較的大きい粗塵を捕集する粗塵集塵部と、比較的小さい細塵を捕集する細塵フィルタとを備えている。この細塵フィルタは、集塵装置の排気口に取り付けられているので、この細塵フィルタが目詰まりすると、電動送風機の吸込力が低下する。このため、集塵装置において、細塵フィルタの上流側に外気を導入可能な外気導入口を、細塵フィルタの上流側全体に亘って複数形成し、これら外気導入口を、所定のタイミングで１つの開閉弁によって開閉して、外気を細塵フィルタの上流側面に吹き付けて、細塵フィルタの目詰まりを解消する構成が知られている（例えば、特許文献１参照。）。
【特許文献１】特開２００６−６４５３号公報（第６−８頁、図７および図８）
【発明の開示】
【発明が解決しようとする課題】
【０００３】
しかしながら、上述の電気掃除機では、複数の外気導入口が１つの開閉弁によって同時に開閉されるため、これら外気導入口から導入された外気が、互いに合流した後に細塵フィルタの上流側面に吹き付けられるので、充分な風速を得ることができず、細塵フィルタに付着した塵埃を除去することが容易でないという問題点を有している。
【０００４】
本発明は、このような点に鑑みなされたもので、細塵フィルタに付着した塵埃を確実に除去できる電気掃除機を提供することを目的とする。
【課題を解決するための手段】
【０００５】
本発明は、電動送風機の駆動により空気を吸い込む主風路と、この主風路と一部が共通して設けられ、電動送風機の駆動により空気を吸い込む副風路とを備え、主風路と副風路とを選択的に切り換え可能な電気掃除機であって、主風路に設けられた集塵部の下流側でかつ主風路と副風路との共通部分に設けられ、集塵部を通過する空気に含まれる細塵を捕集する細塵フィルタと、副風路の吸気口となり、細塵フィルタの上流側に外気を導入する外気導入口と、この外気導入口を部分的に開閉する複数の開閉弁とを具備したものである。
【発明の効果】
【０００６】
本発明によれば、外気導入口を部分的に複数の開閉弁により開閉することで、外気導入口から細塵フィルタの上流側に導入された外気の風速を確保でき、細塵フィルタに付着した塵埃を確実に除去できる。
【発明を実施するための最良の形態】
【０００７】
以下、本発明の第１の実施の形態の電気掃除機の構成を図１ないし図１０を参照して説明する。
【０００８】
図９および図１０において、１は掃除機本体であり、この掃除機本体１は床面を走行可能な、いわゆるキャニスタ型の電気掃除機である。この掃除機本体１は、上側が後方から前方へと下側に傾斜して開放された下ケース２と、この下ケース２の上部を覆う蓋体３とを有する本体ケース４を備え、この本体ケース４内には、電動送風機５を内部に収容する電動送風機室６が後側に、蓋体３により上部が開閉され集塵ユニット７を着脱可能な本体集塵室８が前側に、それぞれ隔壁部９により区画され、この隔壁部９に、集塵ユニット７に設けられた除去手段としての塵落とし部10(図２ないし図４)を駆動させる駆動手段としての駆動機構11とがそれぞれ設けられている。
【０００９】
そして、本体ケース４の前側上部には、本体集塵室８を介して電動送風機５の吸込側に連通可能な本体吸込口13が開口形成され、この本体吸込口13には、ホース体14が着脱可能に設けられ、このホース体14の先端部に、手元操作部15が設けられ、この手元操作部15には、作業者が把持する把持部16が突設され、この把持部16には、作業者により電動送風機５などの動作が設定される設定ボタン17が複数設けられている。そして、手元操作部15の先端部には、延長管18と吸込口体としての床ブラシ19とが順次連通接続される。
【００１０】
さらに、本体ケース４内には、電動送風機５に給電するための図示しない電源コードを巻回したコードリールが配設され、電源コードを本体ケース４に対して出し入れ可能となっている。
【００１１】
電動送風機５は、吸込側を前側とし、排気側を後側として電動送風機室６内に配設されている。また、この電動送風機５は、本体ケース４内に設けられた図示しない制御手段からの信号により、所定の動作モードで動作可能となっている。この動作モードは、設定ボタン17の操作により適宜設定される。
【００１２】
集塵ユニット７は、塵埃分離本体部としての塵埃分離ユニット21と、集塵部としての集塵部ユニット22とを備えている。
【００１３】
塵埃分離ユニット21は、図２ないし図５に示すように、分離部としての塵埃分離部24と、この塵埃分離部24の後部に一体に設けられたフィルタ部25とを有している。
【００１４】
塵埃分離部24は、角筒状の案内風路管31が、左右方向の略中央部に上向きに配設され、この案内風路管31の一側である図５の左側に略円筒状の分離室部32が連通され、この分離室部32内にこの分離室部32と同軸状に略截頭円錐形状すなわち略円錐台状の塵埃分離手段33が設けられ、また、案内風路管31の他側である図５の右側に集塵部ユニット22の下流側に連通する連通管部34が設けられ、かつ、分離室部32の下部にフィルタ部25と連通する連通風路35が設けられている。
【００１５】
案内風路管31は、塵埃分離ユニット21を本体ケース４の本体集塵室８に装着した状態で本体吸込口13の下流側に気密に接続されて塵埃を空気とともに吸い込む吸込接続口38を上端部に備え、かつ、下端部が分離室部32の上部後側に、この分離室部32の内周面に沿って空気を導くように接線方向に沿って連通している。そして、吸込接続口38の周縁部には、本体吸込口13と気密に接続するためのシール部材としてのパッキン42が取り付けられている。
【００１６】
分離室部32は、塵埃分離手段33が取り付けられる円形状の開口45が中央部に穿設されている。また、この分離室部32の周壁部の下部でかつ接続開口39の下方の位置には、連通風路35と連通する連通開口部としての塵埃戻し開口46が穿設され、この塵埃戻し開口46にはメッシュフィルタ47が取り付けられている。さらに、この分離室部32は、図示しない蓋により開閉可能となっている。そして、この分離室部32の周壁部の上部前側には、分離室部32内を集塵部ユニット22の上流側へと連通させる角筒状の導入筒部49が接線方向に沿って形成されている。
【００１７】
開口45は、塵埃分離部24の内部に連通管部34と並列に区画された図示しない通気管部に連通している。この通気管部は、フィルタ部25の前部に形成された第１接続開口50(図１)と連通している。
【００１８】
導入筒部49の上端部には、集塵部ユニット22に連通する導入開口51が開口形成され、この導入開口51の周縁部には、集塵部ユニット22と気密に接続するためのシール部材としてのパッキン53が取り付けられている。また、この導入開口51の前後には、集塵部ユニット22の位置決め用の位置決め突部54，54が上方に向けて突出している。
【００１９】
また、塵埃分離手段33は、開口45に連通する連通開口58を外周面に複数備え、これら連通開口58を覆ってネットフィルタ59が設けられている。
【００２０】
連通管部34は、塵埃分離部24の右側部に穿設された側部開口61と、フィルタ部25の前部にて上記第１接続開口50の側方の位置に形成された第２接続開口62との間に形成されている風路であり、下部に、隔壁部９側に連通する図示しない下部開口が開口形成され、この下部開口を覆って内部に図示しない微細塵フィルタが配置されている。
【００２１】
側部開口61は、図示しないシール部材が周縁部に設けられ、集塵部ユニット22の下流側と気密に接続されるものである。
【００２２】
連通風路35は、分離室部32の後部下側からフィルタ部25の下部に亘って略水平状に形成されている。
【００２３】
そして、フィルタ部25は、図１ないし図４に示すように、後端部が開口されて隔壁部９に対向する略半円筒状のフィルタ部本体である収納ケース66と、この収納ケース66内に着脱可能に設けられたプリーツフィルタ体67とを備えている。
【００２４】
収納ケース66は、前端を形成する正面視略半円形状の区画壁としての前壁部71と、この前壁部の外周縁部から後方へと突出した突出部72とを有している。
【００２５】
前壁部71は、下側が円弧状の円弧部71aであり、この円弧部71aの上部が略水平状の直線部71bとなっており、前部下側が塵埃分離部24と一体化されている。また、この前壁部71には、この前壁部71に形成された第１接続開口50および第２接続開口62を開閉するための第１開閉部材としての接続開閉弁体74が回動可能に取り付けられている。
【００２６】
この接続開閉弁体74は、前壁部71の前側に位置し駆動機構11により駆動される駆動部76と、この駆動部76と一体的に設けられ前壁部71の後部に位置する弁本体77とを備えている。
【００２７】
駆動部76は、中心角が約９０°程度の扇形状に形成されており、前壁部71に対して左右９０°程度回動可能となるように軸支されている。また、この駆動部76の円弧状の周縁部近傍の一部には、駆動機構11と歯合されるギヤ歯部76aが形成されている。
【００２８】
弁本体77は、第１接続開口50および第２接続開口62を開閉する板体であり、駆動部76の回動に伴って前壁部71の背面側を摺動して回動するように構成されている。
【００２９】
また、突出部72は、前壁部71の円弧部71aに対応する位置に形成された下側突出部72aと、前壁部71の直線部71bに対応する位置に形成された上側突出部72bとを有している。
【００３０】
下側突出部72aは、プリーツフィルタ体67に捕集した細塵が塵落とし部10の駆動により落とされた際の受けとなる塵埃受け部である。また、この下側突出部72aには、連通風路35に連通する連通開口72cが形成されている。
【００３１】
上側突出部72bには、左右方向に長手状でかつ上方に向けて突出する上部突出部81が形成され、この上部突出部81には、プリーツフィルタ体67の上部でかつ上流すなわち前面側に位置して、外気を導入するための外気導入口82が開口形成されている。なお、以下、外気とは、集塵ユニット７の外部に位置する空気をいい、必ずしも掃除機本体１の外部の空気をいうものではない。
【００３２】
外気導入口82は、外気と収納ケース66内とを連通可能なもので、左右方向に複数、例えば６つの導入口本体としての平面視四角形状の小型導入口82aが互いに区画されて並設され、これら小型導入口82aのそれぞれに、開閉弁85(開閉弁85A1，85A2，85B1，85B2，85C1，85C2)が取り付けられている。
【００３３】
小型導入口82aは、外側(上流側)である上側から収納ケース66内(下流側)である下側へ向かって、徐々に開口面積が小さくなるように、換言すれば風路面積が絞られるように前後の内壁82b，82cが傾斜状に形成されている。すなわち、これら内壁82b，82cは、上側から下側に向けて、徐々に接近するように傾斜している。また、内壁82b，82cの下端部間には、プリーツフィルタ体67側である下方に向けて前側から後側へと傾斜する外気吹付部としての吹付風路82dが形成されている。この吹付風路82dは、小型導入口82aよりも風路面積が狭いノズル状に形成されている。さらに、小型導入口82aのそれぞれの周縁部には、シール部材としての図示しないパッキンが取り付けられている。
【００３４】
各開閉弁85は、小型導入口82aの形状に対応しこれら小型導入口82aの上部に位置する平面視四角形状の開閉弁本体87と、この開閉弁本体87の後部から後方へと水平状に突出した当接部88とを有し、各開閉弁85の当接部88が共通の回動軸89によって回動可能に軸支され、かつ、図示しないトーションばねなどの弁付勢手段により各開閉弁本体87が小型導入口82aに押し付けられるように付勢されている。そして、各開閉弁85は、互いに独立に小型導入口82aを開閉可能である。
【００３５】
当接部88は、集塵ユニット７の後部よりも後方に突出し、集塵ユニット７を本体集塵室８に取り付けた状態で駆動機構11の一部と当接可能に構成されている。
【００３６】
回動軸89は、左右方向に沿って水平状に形成され、両端部が例えば隔壁部９など、掃除機本体１側に軸支されている。
【００３７】
一方、プリーツフィルタ体67は、フィルタ枠部91と、このフィルタ枠部91の内部に保持されたフィルタ本体としての細塵フィルタであるプリーツフィルタ92とを備えている。
【００３８】
フィルタ枠部91は、収納ケース66の突出部72の内形に沿った外形を有する枠壁部91aと、この枠壁部91aの内側から四角形枠状に突出しプリーツフィルタ92を保持するフィルタ保持部91bとを備えている。
【００３９】
枠壁部91aの周囲には、突出部72との隙間を閉塞するシール部材であるパッキン91cが取り付けられている。
【００４０】
フィルタ保持部91bの下部は、プリーツフィルタ92の下側に対向する傾斜面91dとなっている。また、このフィルタ保持部91bは、収納ケース66内に、外気導入口82(小型導入口82a)から連通開口72cへと、プリーツフィルタ92の上流面側を介して連通するフィルタ洗浄風路としてのフィルタ部風路91eを区画している。
【００４１】
傾斜面91dは、プリーツフィルタ92の下部に位置する上側から下側に向かって、前方へ、すなわちプリーツフィルタ92側へと傾斜している。したがって、フィルタ部風路91eは、上流側である上側から下流側である下側へと風路面積が狭くなるように形成されている。
【００４２】
フィルタ部風路91eは、外気導入口82から吸い込んだ外気をプリーツフィルタ92の上流側面に沿って流すことでプリーツフィルタ92に付着した塵埃を除去して連通風路35(図５)へと運ぶためのものである。
【００４３】
プリーツフィルタ92は、交互に形成された複数の山谷部によるプリーツ形状であるプリーツ部92aにより表面積を確保した細塵捕集用のフィルタであり、プリーツフィルタ体67をフィルタ部25に取り付けた状態で第１接続開口50および第２接続開口62を覆い、かつ、プリーツ部92aが上下方向、すなわちフィルタ部風路91eの空気の流れ方向に沿うように配置されている。また、プリーツフィルタ92は、上部全体の前端部が外気導入口82の吹付風路82dの下方に対向するように配置されている。
【００４４】
また、集塵部ユニット22は、塵埃分離ユニット21に集塵部ユニット22を装着した状態で塵埃分離ユニット21の分離室部32の下流側に連通する連通路94と、この連通路94の下流側に連通し塵埃を溜める集塵室95とを有している。そして、この集塵部ユニット22は、図示しない爪部を介して塵埃分離ユニット21に固定可能であるとともに、この爪部の係合を図示しない取外機構により解除することで、塵埃分離ユニット21から取り外しできるように構成されている。
【００４５】
連通路94は、左右方向に長手状に形成され、上流側である左側の下部に、導入開口51と連通する図示しない風路部上流開口が形成されているとともに、下流側である右側に集塵室95と連通する図示しない風路部下流開口が形成されている。また、この連通路94は、集塵部ユニット22を塵埃分離ユニット21に取り付けた状態で吸込接続口38の前方下部に位置する。
【００４６】
集塵室95は、例えば綿ごみなどの比較的大きい塵埃が収容される部分であり、連通路94の側方から下方へと伸びるように上下方向に長手状に形成され、集塵蓋97により開閉可能となっている。また、この集塵室95には、連通管部34の側部開口61と連通する図示しない通気口が開口形成されている。この通気口は、集塵部ユニット22を塵埃分離部ユニット21に取り付けた状態で、連通管部34の側部開口61と連通する開口部であり、メッシュフィルタが取り付けられている。
【００４７】
図８および図９に示すように、隔壁部９は、壁状の隔壁本体101と、この隔壁本体101に一体的に取り付けられた風路構成部としての隔壁風路102とを有している。
【００４８】
隔壁本体101は、電動送風機５の吸込側に連通する丸孔状の図示しない連通孔と、前面側に位置し駆動機構11により駆動されこの連通孔を開閉する第２開閉部材としての図示しない前部開閉弁とを備えている。
【００４９】
隔壁風路102は、下部に位置し本体集塵室８側に突出する連通突出部111と、この連通突出部111の後部から電動送風機室６内にて上方へと立ち上がる角筒状の垂直風路部112と、この垂直風路部112の上端部から後方へと突出して電動送風機５の吸込側に連通接続される円筒状の連通筒部113とを一体的に有している。
【００５０】
連通突出部111は、下側が開放され、本体集塵室８の下面に隙間なく密着することでこの本体集塵室８の下面との間に風路を区画する部分であり、集塵ユニット７を本体集塵室８に装着した状態で下部開口64に連通する接続孔115が上部に設けられている。そして、この接続孔115の上側の外側縁部には、シール部材としての接続孔パッキン116が設けられているとともに、この接続孔115の下部には、この接続孔115を開閉する接続孔開閉弁117が取り付けられている。
【００５１】
垂直風路部112は、連通突出部111の後部から上方に連続する風路構成部121と、この風路構成部121の側方に一体的に設けられた機構部122と、風路構成部121の側方でかつ機構部122の下部に位置し駆動機構11の一部を取り付ける取付部123とを有している。
【００５２】
風路構成部121は、上下方向に沿って軸方向を有する角筒状に形成され、内部に第３開閉部材としての下部開閉弁125が配設されている。また、この風路構成部121の前部には、隔壁本体101と隔壁風路102とを接続固定するための円柱状のボス126が突設されている。さらに、風路構成部121の上端部には、隔壁本体101の連通孔の後部に連通接続される略円筒状の接続筒部127が前後方向に沿って軸方向を有する水平状に設けられている。この接続筒部127は、風路構成部121に下端部が連通するとともに、上流側である前端側が隔壁本体101の連通孔に気密に接続され、かつ、下流側である後端側が連通筒部113に連続している。さらに、この連通筒部113の上部には、隔壁本体101と隔壁風路102とを接続固定するための固定ブラケット部128が突設されている。
【００５３】
機構部122は、風路構成部121の図８に示す右側方に正面視半円弧状に突設された外壁部131と、この外壁部131の下側寄りの内縁部に沿って円弧状に設けられたガイドリブ部132と、この外壁部131の上側寄りの内縁部に沿って円弧状に設けられた上部リブ部133と、外壁部131の下側寄りの内縁部に沿って円弧状に設けられた図示しない下部リブ部とを備えている。また、機構部122の前部には、外壁部131の円弧形状の中央部に、風路構成部121内に連通する軸孔部135が穿設され、この軸孔部135には、駆動軸136が回動可能に挿通され、この駆動軸136には、被駆動伝達手段としての駆動ギヤ137が一体的に設けられている。さらに、機構部122には、外壁部131の内部に、風路構成部121に連通する側部導入開口138が開口形成され、この側部導入開口138には、この側部導入開口138を開閉する開口開閉弁139が設けられている。
【００５４】
外壁部131の外部には、隔壁本体101と隔壁風路102とを接続固定するためのブラケット部141が突設されている。
【００５５】
ガイドリブ部132は、駆動ギヤ137の回動をガイドするものである。
【００５６】
上部リブ部133は、ガイドリブ部132よりも前方に突出し、駆動ギヤ137の上方での回動位置を規制するものである。
【００５７】
同様に、下部リブ部は、ガイドリブ部132よりも前方に突出し、駆動ギヤ137の下方での回動位置を規制するものである。
【００５８】
駆動軸136は、風路構成部121内にて下部開閉弁125に連結され、回動によりこの下部開閉弁125を一体的に駆動させるものである。また、この駆動軸136の前端部は、隔壁本体101に挿通され、前部開閉弁と接続されて、この前部開閉弁と一体に回動するように構成されている。そして、この駆動軸136の下部開閉弁125との連結部には、図示しないカム部が設けられている。このカム部は、駆動軸136の回動により、開口開閉弁139を開閉動作させて側部導入開口138を開閉するものである。
【００５９】
ここで、開口開閉弁139は、側部導入開口138よりも大きい面積を有する四角形板状に形成され、ガイドリブ部132との間に、この開口開閉弁139を側部導入開口138側へと付勢する開閉弁付勢手段としてのばね145が設けられている。
【００６０】
そして、駆動ギヤ137は、駆動軸136と一体に設けられた第１ギヤ体としての規制板部147と、この規制板部147の後部に設けられた第２ギヤ体としてのギヤ本体部148と、このギヤ本体部148と一体に設けられたガイド部149とを備えている。
【００６１】
規制板部147は、中心角が略９０°の扇形状に形成されており、周方向に沿って長孔状の規制孔151が複数穿設されている。
【００６２】
ギヤ本体部148は、規制板部147よりも若干小さい扇形状に形成され、規制板部147と同軸上に重ね合わせて設けられ、規制孔151のそれぞれに挿入される挿入リブ153が前面に複数突設されている。また、このギヤ本体部148の外周縁部には、規制板部147よりも径方向に突出した歯合部としての外周ギヤ部154が設けられている。さらに、この外周ギヤ部154の図８に示す両端部には、干渉防止用の切欠部155，156が設けられている。
【００６３】
ガイド部149は、ギヤ本体部148の外周縁部近傍の後側面に設けられ、ガイドリブ部132および上部リブ部133と嵌合する溝部157が周方向に沿って設けられている。そして、この溝部157の内部には、ギヤ付勢手段としての図示しないギヤ用コイルばねが配設されている。このギヤ用コイルばねは、溝部157内に保持され、駆動ギヤ137が上方、あるいは下方に回動した際に、溝部157に嵌合した上部リブ部133、あるいは下部リブ部と当接して収縮することで、ギヤ本体部148を回動下方向、あるいは回動上方向に付勢するものである。
【００６４】
連通筒部113は、後方に突出し、基端部の外周部にシール部材としての送風機接続パッキン159が設けられ、電動送風機５の吸込側に気密に連結される。
【００６５】
また、図２ないし図４に示すように、塵落とし部10は、フィルタ部25から後方に露出するプリーツフィルタ92の下流側を叩いてこのプリーツフィルタ92に捕集した細塵を、傾斜面91dを介して下側突出部72aへと落下させて除去するもので、複数、例えば３つの除塵子としての叩打体161(叩打体161A，161B，161C)と、これら叩打体161を前後方向に回動可能となるように軸支する略円柱状の共通の軸支部162とを備えている。
【００６６】
各叩打体161は、例えば合成樹脂などにより形成されており、図６に示すように、上端部に、軸支部162が挿通される被軸支部としての筒状の軸支筒部164を備えているとともに、この軸支筒部164の下部に、この軸支筒部164の径方向へと直線状に被軸支突出部としての突出片部165が一体に形成され、かつ、この突出片部165の下端部に、除塵部としての叩打部166が一体に形成されている。また、各叩打体161は、それぞれ２つの開閉弁85，85の下方の間に跨るように配置されている。
【００６７】
軸支筒部164は、軸支部162の外径寸法よりも大きい内径寸法を有し、軸支部162に対して自由に回動するように軸支されている。また、この軸支筒部164内には、図７に示すように、中心軸方向へと突出して軸支部162の外周面と接触可能な接触部としての接触リブ167(接触リブ167A，167B，167Cが突出して設けられている。これら接触リブ167は、可撓性を有する合成樹脂などにより形成されている。
【００６８】
突出片部165は、プリーツフィルタ92の上下方向の寸法の約半分程度の長さ寸法を有する長尺状に形成され、軸支筒部164の下方に離間された位置に、この突出片部165と略直交する後方へと突出部165aが突出して一体に形成されている。
【００６９】
叩打部166は、突出片部165に対して略直交するように、水平方向に沿って長手状に形成されており、断面視で上下方向に長い略楕円形状に形成されている。このため、叩打部166の前部には、プリーツフィルタ92の後部(下流側)に当接する除塵当接部としての叩打面166aが形成されている。また、叩打部166は、叩打面166aがプリーツフィルタ92の上下方向の略中間域に当接する位置に配置されている。さらに、各叩打体161は、叩打部166が略隙間なくプリーツフィルタ92の左右方向に隣接するように配置されている。
【００７０】
なお、各叩打体161は、前方下側へと回動する方向、すなわち図２中の時計回り方向へと、トーションばねなどの除塵子付勢手段により付勢されていてもよい。この場合には、叩打面166aでの叩打の威力が向上し、プリーツフィルタ92からの除塵効率が向上する。
【００７１】
軸支部162は、開閉弁85の回動軸89の下方で、かつ、プリーツフィルタ92の上側後方に、この回動軸89と略平行に、すなわち水平状に形成され、両端部が例えば隔壁部９など掃除機本体１(図１０)側に軸支されている。また、この軸支部162は、少なくとも各叩打体161(叩打体161A，161B，161C)の少なくとも軸支筒部164に対応する位置の外周部に、図７に示すように、平面状の平面部168(平面部168A，168B，168C)と、これら平面部168の両端部と連続する半円弧状の湾曲部169(湾曲部169A，169B，169C)とがそれぞれ形成されている。各平面部168と各湾曲部169とは、軸支部162の中心軸に対して互いに反対側の位置に形成されている。したがって、軸支部162は、各平面部168および各湾曲部169に対応する部分が、断面視で半月状に形成されている。また、平面部168A，168B，168Cは、軸支部162の周方向に互いに略等しい所定角度、例えば１２０°ずつずれた位置に形成されている。さらに、各平面部168は、各叩打体161の軸支筒部164の接触リブ167に対して中心軸方向に離間されている。換言すれば、各接触リブ167の軸支筒部164の中心軸方向への突出寸法は、軸支筒部164の内径寸法と軸支部162の各湾曲部169から各平面部168への最大距離寸法との差よりも小さく設定されているとともに、軸支筒部164の内径寸法と軸支部162の最大外径寸法との差よりも大きく設定されている。
【００７２】
そして、各叩打体161は、駆動機構11により順次回動されて、開閉弁85により開いた小型導入口82aの位置に対応するものがプリーツフィルタ92の下流側を順次叩打して塵埃を叩き落すように構成されている。これら叩打体161は、プリーツフィルタ92の下流側の山部を叩打するので、プリーツフィルタ92の上流側の谷部が通常より開いた状態となり、塵埃がプリーツフィルタ92から剥がれやすくなる。
【００７３】
駆動機構11は、本体ケース４の下部に収容された回転駆動手段としてのモータであるステッピングモータ170，171と、ステッピングモータ170の回転軸170aに連結された回転ギヤ172と、この回転ギヤ172により駆動される図示しない第１ギヤ列と、ステッピングモータ171の回転軸171aに連結された回転ギヤ173と、回転ギヤ173に歯合されて駆動する図示しない第２ギヤ列と、回転ギヤ173に歯合されて回転されるギヤ175と、このギヤ175によって回動される回転部材としての回転羽根177とを備えている。
【００７４】
ステッピングモータ170，171は、例えば電動送風機５の動作を制御する制御手段としての制御回路などからの信号によって回動可能であり、隔壁部９の取付部123に固定されている。
【００７５】
ステッピングモータ170の回動のタイミングは、例えば電動送風機５の起動および停止を設定ボタン17(図１０)によりそれぞれ設定したタイミングなどとする。また、ステッピングモータ170は、両方向に回動可能である。
【００７６】
また、ステッピングモータ171の回動のタイミングは、例えば電動送風機５の停止を設定ボタン17(図１０)によりそれぞれ設定したタイミングなどとする。また、ステッピングモータ171は、一方向にのみ回動可能である。
【００７７】
回転ギヤ172は、いわゆるピニオンギヤであり、ステッピングモータ170の回転を、隔壁部９の駆動ギヤ137へと伝達するものである。
【００７８】
第１ギヤ列は、複数の第１ギヤ列回転ギヤを有し、これら第１ギヤ列回転ギヤが順次歯合することにより、ステッピングモータ170の回転を、塵埃分離ユニット21の接続開閉弁体74のギヤ歯部76aおよび隔壁部９の駆動ギヤ137の外周ギヤ部154に伝えるように構成されている。
【００７９】
このため、接続開閉弁体74、前部開閉弁および下部開閉弁が、第１ギヤ列を介してステッピングモータ170の回動に連動して開閉されることにより、通常の掃除に用いる主風路W1と、例えば掃除の終了時などにプリーツフィルタ92を空気洗浄するための副風路W2とが切り換えられる。
【００８０】
具体的に、主風路W1は、接続開閉弁体74によって第１接続開口50および第２接続開口62が開かれた状態となるとともに、前部開閉弁によって隔壁部９の連通孔が開かれた状態となり、下部開閉弁125によって風路構成部121の上部が閉塞された状態となり、かつ、接続孔開閉弁117が負圧により接続孔115の下部に隙間なく接触して接続孔115が閉塞された状態となることで、本体吸込口13から、吸込接続口38を介して案内風路管31、分離室部32、導入筒部49、連通路94、集塵室95、連通管部34、プリーツフィルタ92、隔壁部９の連通孔、接続筒部127および連通筒部113を介して電動送風機５へと吸い込まれる第１風路W1aと、この第１風路W1aから分離室部32にて連通開口58を介して開口45へと分岐され、通気管部を介してプリーツフィルタ92にて第１風路W1aと合流する第２風路W1bとを備えている。
【００８１】
また、副風路W2は、接続開閉弁体74によって第１接続開口50および第２接続開口62が閉塞された状態となり、前部開閉弁によって隔壁部９の連通孔が閉塞された状態となり、下部開閉弁125によって風路構成部121の上部が開かれた状態となり、かつ、接続孔開閉弁117が自重によって下方へ回動して接続孔115が開かれた状態となることで、外気導入口82を介してフィルタ部風路91e(プリーツフィルタ92の上流側面)、連通風路35、分離室部32、導入筒部49、連通路94、集塵室95、下部開口64、接続孔115、連通突出部111、垂直風路部112、接続筒部127および連通筒部113を介して電動送風機５へと吸い込まれるように構成される。
【００８２】
したがって、主風路W1と副風路W2とは、フィルタ部25、分離室部32、連通路94および集塵室95が共通するように設けられており、この共通部分の一部であるフィルタ部25に、プリーツフィルタ92が位置している。また、外気導入口82が副風路W2の吸気口となっている。
【００８３】
一方、回転ギヤ173は、いわゆる傘歯車であり、ステッピングモータ171の回転を、直交配置されたギヤ175の回動に変換するものである。また、この回転ギヤ173は、隔壁部９の隔壁本体101よりも前側に位置している。
【００８４】
また、第２ギヤ列は、回転ギヤ173に歯合する複数の第２ギヤ列回転ギヤを有し、これら第２ギヤ列回転ギヤが順次歯合することにより、ステッピングモータ171の回転を、塵落とし部10に伝えるように構成されている。
【００８５】
さらに、ギヤ175は、上下方向に長手状に形成され、上端部と下端部とにそれぞれ傘歯状のギヤ部175a，175bが形成されている。そして、ギヤ部175aは、回転ギヤ173と歯合され、ギヤ部175bは、回転羽根177のギヤ部177aと歯合されている。
【００８６】
回転羽根177は、各開閉弁85を選択的に開閉するもので、ギヤ部177aを端部に備えたシャフトである軸部177bと、この軸部177bから径方向に突出した当接片としての複数、例えば３枚の羽根部177cとを有し、ギヤ175の上方にて左右方向に略水平状に配置されている。
【００８７】
軸部177bは、外気導入口82の幅寸法よりも長手状に形成され、両端部が本体ケース４側に軸支されている。
【００８８】
羽根部177cは、各開閉弁85の当接部88の後方に位置し、隣接する羽根部177c同士は軸部177bの回転方向に対して互いに異なる位置に突出するように、例えば１２０°毎に配置されている。また、各羽根部177cは、それぞれ隣接する２つの開閉弁85A1，85A2、開閉弁85B1，85B2および開閉弁85C1，85C2の当接部88，88に跨る位置に配置されている。このため、羽根部177cは、回転羽根177の回転によって、それぞれ異なるタイミングで、互いに隣接する２つの当接部88，88を上側から下側へと押圧し、開閉弁85A1，85A2と、開閉弁85B1，85B2と、開閉弁85C1，85C2との各組のいずれかを同時に、かつ、開閉弁85A1，85A2、開閉弁85B1，85B2および開閉弁85C1，85C2の各組同士をそれぞれ異なるタイミングで開閉する。この開閉のタイミングは、互いの羽根部177cの角度および個数により任意に設定できるが、本実施の形態では、塵落とし部10に対応する位置、具体的にはプリーツフィルタ92を叩打している塵落とし部10の叩打体161の上方に位置する各開閉弁85が順次開くように構成されている。
【００８９】
したがって、ステッピングモータ171、回転ギヤ173およびギヤ175により、回転羽根177を回動させる回動機構179が構成されている。
【００９０】
次に、上記第１の実施の形態の動作を説明する。
【００９１】
まず、本体ケース４の蓋体３を開けて本体集塵室８に集塵ユニット７を装着する。
【００９２】
このとき、本体集塵室８に、まず塵埃分離ユニット21を装着することで、吸込接続口38がパッキン42を介して本体吸込口13の下流側に気密に接続されるとともに、フィルタ部25のプリーツフィルタ体67が、隔壁部９の連通孔および各叩打体161に対向して嵌合し、かつ、各開閉弁85の当接部88が、回転羽根177の羽根部177cの下部にそれぞれ位置する。
【００９３】
さらに、この塵埃分離ユニット21を装着した本体集塵室８に集塵部ユニット22を装着することで、位置決め突部54，54により位置決めされた集塵部ユニット22が塵埃分離ユニット21に係止され、集塵部ユニット22の風路部上流開口が塵埃分離ユニット21の上部の導入開口51と気密に接続されるとともに、集塵部ユニット22の通気口が塵埃分離ユニット21の側部開口61と気密に接続される。
【００９４】
この状態で、本体吸込口13にホース体14、延長管18および床ブラシ19を順次連通接続するとともに、本体ケース４から電源コードを引き出して壁面などのコンセントに接続し、作業者が把持部16を把持して所定の設定ボタン17を操作すると、制御回路が電動送風機５を駆動させるとともに、ステッピングモータ170を所定方向に回転させる。
【００９５】
すると、ステッピングモータ170の回転軸170aと一体の回転ギヤ172が回動し、この回転ギヤ172と歯合する第１ギヤ列の第１ギヤ列回転ギヤの回動により、ギヤ用コイルばねにより付勢された駆動ギヤ137が図８中の時計回り方向に回動し、この駆動ギヤ137と一体に設けられた駆動軸136の後端側に連結された下部開閉弁125の先端側が図８中の上方向へと実線の状態まで回動して風路構成部121内を閉塞し、駆動軸136と一体に設けられたカム部の回動により開口開閉弁139の上端部がばね145の付勢力によって図８中の右方向へと実線の状態まで回動して側部導入開口138を開口し、かつ、駆動軸136の前端部に連結された前部開閉弁が回動して連通孔を開口させ、また、第１ギヤ列の第１ギヤ列回転ギヤの回動により、接続開閉弁体74が回動されて第１接続開口50および第２接続開口62が開口される。
【００９６】
このとき、駆動ギヤ137が図８に示す実線の状態まで下方に回動し、ガイド部149の溝部157に下部リブ部が嵌合してギヤ用コイルばねが収縮し、駆動ギヤ137が回動上方向へ付勢されるとともに、切欠部155が回転ギヤ172の位置へと対向すると、回転ギヤ172と駆動ギヤ137との歯合が遮断され、回転ギヤ172が駆動ギヤ137に対して空回りする。
【００９７】
また、接続孔開閉弁117は、電動送風機５の負圧により図８に示す実線の状態となって接続孔115を閉塞する。
【００９８】
この結果、主風路W1が電動送風機５の吸込側に連通接続され、副風路W2が電動送風機５の吸込側に対して遮断される。
【００９９】
所定時間が経過すると、制御回路はステッピングモータ170の回動を停止させる。
【０１００】
そして、作業者は、床ブラシ19を床面上で前後方向に走行させ、電動送風機５の負圧の作用により、床ブラシ19の先端側から床面上の塵埃を空気とともに吸い込む。
【０１０１】
この吸い込まれた空気は吸気風となり、床ブラシ19から延長管18、ホース体14および本体吸込口13を経由して、集塵ユニット７の吸込接続口38へと吸い込まれる。
【０１０２】
この後、空気は、塵埃とともに接続開口39から分離室部32内へと吸い込まれ、この分離室部32内にて、塵埃分離手段33の外周面との間を旋回することで、比較的大きい塵埃である粗塵が遠心分離されて第１風路W1a側へと、すなわち、導入開口51から風路部上流開口を経由して集塵部ユニット22内へと空気とともに吸い込まれる。
【０１０３】
また、細塵は、ネットフィルタ59を吸気風が通過する際に捕集される。この吸気風は、第２風路W1b側へと、すなわち開口45から通気管部へと流入し、第１接続開口50を介してプリーツフィルタ体67の上流側へと吸気風とともに通過する。
【０１０４】
そして、前記粗塵は、集塵部ユニット22の連通路94を通過して集塵室95に収容され、この集塵室95において、吸気風が通気口から側部開口61へと通過する際に圧縮される。この通過した吸気風は、第２接続開口62を介してプリーツフィルタ体67の上流側へと通過する。
【０１０５】
この後、吸気風は、プリーツフィルタ体67のプリーツフィルタ92を通過して、このプリーツフィルタ92により、含まれる細塵が捕集される。
【０１０６】
そして、吸気風は、隔壁部９の連通孔を通過して電動送風機５の吸込側に吸い込まれ、この電動送風機５を通過して排気風となり、本体ケース４の図示しない排気孔から外気へと排出される。
【０１０７】
掃除が終了すると、作業者が所定の設定ボタン17を操作して、電動送風機５の停止信号を制御回路に出力する。
【０１０８】
このとき、停止信号を受信した制御回路は、ステッピングモータ170を、掃除の開始時と反対方向へと回動させるとともに、ステッピングモータ171を図２中の反時計回り方向へと回動させる。
【０１０９】
すると、ステッピングモータ170の回転軸170aと一体の回転ギヤ172が回動することで、この回転ギヤ172に歯合する第１ギヤ列の第１ギヤ列回転ギヤにより、ギヤ用コイルばねによって付勢された駆動ギヤ137が図８中の反時計回り方向に回動し、この駆動ギヤ137と一体に設けられた駆動軸136の後端側に連結された下部開閉弁125の先端側が図８中の示す下方向へと想像線125aの状態まで回動して風路構成部121内を開口し、駆動軸136と一体に設けられたカム部の回動により開口開閉弁139の上端部がばね145の付勢力に抗して図８中の左方向へと想像線139aの状態まで回動して側部導入開口138を閉塞し、かつ、駆動軸136の前端部に連結された前部開閉弁が回動して連通孔を閉塞させ、また、第１ギヤ列回転ギヤに歯合する接続開閉弁体74が回動して、第１接続開口50および第２接続開口62を閉塞する。
【０１１０】
このとき、駆動ギヤ137が図８に示す想像線の状態まで上方に回動し、ガイド部149の溝部157に下部リブ部が嵌合してギヤ用コイルばねが収縮し、駆動ギヤ137が回動下方向へ付勢されるとともに、切欠部156が回転ギヤ172の位置へと対向すると、回転ギヤ172と駆動ギヤ137との歯合が遮断され、回転ギヤ172が駆動ギヤ137に対して空回りする。
【０１１１】
また、接続孔開閉弁117は、自重により図８に示す想像線117aのように下側に回動し、接続孔115を開口する。
【０１１２】
同時に、ステッピングモータ171の回動により、回転ギヤ173と歯合している第２ギヤ列の第２ギヤ列回転ギヤが回動して、軸支部162が図７中の反時計回り方向に回転すると、図７(a)に示すように、軸支部162の平面部168A，168B，168Cの一端部と湾曲部169A，169B，169Cとの連続部が叩打体161の接触リブ167に順次接触し、図７(b)および図７(c)に示すように、この接触リブ167が若干変形しながら軸支部162の湾曲部169A，169B，169Cとの隙間に、これら湾曲部169A，169B，169Cに対して滑りながら支持されることで、叩打体161A，161B，161Cが図中の反時計回り方向に順次回動し、接触リブ167が湾曲部169A，169B，169Cから平面部168A，168B，168Cの他端部との連続部を超えると、図７(d)に示すように、湾曲部169A，169B，169Cとの隙間での接触リブ167の保持が外れ、叩打体161A，161B，161Cが自重により元の位置に復帰する。
【０１１３】
すなわち、図２ないし図４に示すように、叩打面166aがプリーツフィルタ92の下流側面に対して離間されるように叩打体161A，161B，161Cが順次回動した後、この回動位置から自重により元の位置に復帰することで、叩打体161A，161B，161Cの叩打面166aがプリーツフィルタ92の下流側面を順次叩打し、プリーツフィルタ92に捕集された細塵の一部がこのプリーツフィルタ92から除去され、傾斜面91dに沿って落下して下側突出部72a上に溜まる。
【０１１４】
このとき、回転ギヤ173にギヤ部175aが歯合したギヤ175が回動し、このギヤ175のギヤ部175bとギヤ部177aが歯合した回転羽根177が図１(a)ないし図１(c)に示す反時計回り方向に回動することで、回転羽根177の羽根部177cが、プリーツフィルタ92の下流側面を叩打した叩打体161Aの上側に対応する開閉弁85A1，85A2、叩打体161Bの上側に対応する開閉弁85B1，85B2、叩打体161Cの上側に対応する開閉弁85C1，85C2を、順次開閉する。
【０１１５】
この結果、副風路W2が電動送風機５の吸込側に連通接続され、主風路W1が電動送風機５の吸込側に対して遮断されることで、開閉弁85が開いた外気導入口82の各小型導入口82aからは、フィルタ部25内に外気が導入され、この外気が、内壁82b，82cにより絞られて流速を速められつつ吹付風路82dからプリーツフィルタ92のプリーツ部92aの上流側面に沿って上側から下側へと吹き付けられ、プリーツフィルタ92に捕集された細塵の一部が除去され、塵落とし部10の叩打体161により下側突出部72a上に落とされた細塵とともに、連通開口72cへと吸い込まれる。
【０１１６】
この後、連通風路35を介して塵埃戻し開口45を通過する際に、メッシュフィルタ47により塵埃がさらに捕集されるとともに、このメッシュフィルタ47を通過した空気は、塵埃分離手段33の周囲を旋回しつつ導入開口51から連通路94へと吸い込まれ、集塵室95から通気口、側部開口61および下部開口64を経由して、それぞれ集塵室95に捕集された綿ごみなどの粗塵、メッシュフィルタおよび連通管部34の微細塵フィルタ63により塵埃が捕集された後、接続孔115を介して連通突出部111および垂直風路部112を経由し、接続筒部127および連通筒部113を介して電動送風機５の吸込側へと吸い込まれる。
【０１１７】
そして、ステッピングモータ170，171の動作開始から一定時間が経過すると、制御回路は、ステッピングモータ170，171とともに電動送風機５を停止させる。
【０１１８】
集塵部ユニット22に所定量以上の塵埃が溜まった場合には、本体ケース４の蓋体３を開き、本体集塵室８から集塵部ユニット22を取り外し、ごみ箱などの上方で集塵蓋97を開くことで、集塵室95内に捕集された塵埃を廃棄する。
【０１１９】
また、塵埃分離ユニット21の各種フィルタが目詰まりした場合には、この塵埃分離ユニット21も本体集塵室８から取り外して適宜掃除する。
【０１２０】
そして、取り外しのときと逆の手順により、塵埃分離ユニット21と集塵部ユニット22とを順次本体集塵室８へと再度取り付ける。
【０１２１】
このように、上記第１の実施の形態によれば、プリーツフィルタ92の上流側に外気を導入する外気導入口82を分割した複数の小型導入口82aをそれぞれ複数の開閉弁85により開閉、すなわち外気導入口82を部分的に複数の開閉弁85により開閉することで、例えば大きい外気導入口を一度に開閉する従来の場合と比較して、外気導入口82からプリーツフィルタ92の上流側に導入された外気の風速を充分に確保でき、プリーツフィルタ92に付着した塵埃を確実に除去できる。
【０１２２】
また、軸部177bおよびこの軸部177bから径方向に突出した複数の羽根部177cを有する回転羽根177を回動機構179により回動させる構成とすることで、羽根部177cの個数や位置、角度に対応して所望の開閉弁85を所望のタイミングで開閉させることが可能になり、例えばプリーツフィルタ92の細塵の付着が多い箇所と少ない箇所とで小型導入口82aの開閉の回数およびタイミングを可変させることができ、効率よくプリーツフィルタを洗浄できる。
【０１２３】
具体的に、回動機構179の一部であるステッピングモータ171の回動により動作する塵落とし部10の各叩打体161の位置に対応する位置の開閉弁85を回動機構179により順次開くことで、塵落とし部10の各叩打体161により叩き落された細塵を、その除去されたタイミングで副風路W2を介して集塵室95へと吸い込むことができるため、細塵の除去効率が良好になる。
【０１２４】
しかも、各小型導入口82aは、内壁82b，82cによってさらに流速を速められ、ノズル状の吹付風路82dからプリーツフィルタ92の上流側面へと吹き付けられるので、プリーツフィルタ92に付着した細塵を、より確実に除去できる。
【０１２５】
そして、回転羽根177と回動機構179とによって開閉弁85の開閉位置を順次異ならせることにより、プリーツフィルタ92の広範囲を洗浄できる。
【０１２６】
さらに、細塵フィルタをプリーツフィルタ92とすることで、塵落とし部10により除去された細塵が、プリーツフィルタ92のプリーツ部92aに沿って容易に落下するとともに、上方に設けた外気導入口82から外気を吸い込むことで、この吸い込んだ外気をプリーツ部92aに沿って流すことができ、プリーツフィルタ92から塵落とし部10や外気によって除去した細塵がプリーツフィルタ92のプリーツ部92aに引っ掛かったり、再付着したりすることを防止できる。
【０１２７】
また、各叩打体161や吹付風路82dからの外気の吹き付けによりプリーツフィルタ92から除去された細塵は、傾斜面91dを介して下側突出部72c上へと確実に運ばれ、この細塵がフィルタ部風路91eの途中に引っ掛かって溜まってしまうことを確実に防止できる。
【０１２８】
さらに、各叩打体161をプリーツフィルタ92の左右方向に隣接させるとともに、各叩打体161の叩打部166により、プリーツフィルタ92の上下方向の略中間域を叩打面166aにて叩打するので、プリーツフィルタ92に付着した細塵を、位置的な偏りを生じることなく満遍なく叩き落すことができる。
【０１２９】
しかも、叩打体161を分けたことにより、接触リブ167の突出量や可撓性などを設定することで、プリーツフィルタ92を叩打する強度が各叩打体161に応じて異なるように設定することが可能になる。例えば比較的細塵が付着しやすい電動送風機５の吸込側に対向するプリーツフィルタ92の下流側に対応する位置に配置された叩打体161に対応する接触リブ167の突出量を大きくしたり、可撓性を抑制したりすることで、この叩打体161を他の叩打体161よりも高い位置まで後方に回動させるように構成すれば、この叩打体161の叩打部166によってプリーツフィフィルタ92の下流側を、より強く叩打できるなど、プリーツフィルタ92の各位置への細塵の付着の度合い(細塵の付着分布)に対応させた叩打強度とすることが可能になる。
【０１３０】
次に、第２の実施の形態を、図１１および図１２を参照して説明する。なお、上記第１の実施の形態と同様の構成および作用については、同一符号を付してその説明を省略する。
【０１３１】
この第２の実施の形態は、上記第１の実施の形態において、塵落とし部10の各叩打体161が、ステッピングモータ171の回動を伝達する駆動機構11のギヤ175を介して駆動されるものである。
【０１３２】
図１２に示すように、ギヤ175は、ギヤ部175a，175bの中間の位置に、傘歯状のギヤ部175cが形成され、このギヤ部175cが、塵落とし部10の軸支部162の端部に形成された傘歯状のギヤ部162aに歯合されている。したがって、軸支部162は、ギヤ175の回動に伴って、回転羽根177と同様に回動される。
【０１３３】
また、図１１に示すように、各叩打体161は、軸支筒部164と突出片部165との連続部に亘って、係合部としての切欠凹部181が切り欠き形成されている。
【０１３４】
また、軸支部162には、各叩打体161の切欠凹部181に対応する位置に、支持片としての支持体183がそれぞれ配置されている。
【０１３５】
各支持体183は、軸支部162が挿通される支持片筒部である支持体筒部185と、この支持体筒部185から径方向に略垂直に突出した１つの支持片部186とを備え、軸支部162と一体に回動するように構成されている。
【０１３６】
各支持片部186は、例えば板ばねなどの弾性体により形成されており、各叩打体161の切欠凹部181に前側(下側)から当接している。また、各支持片部186は、軸支部162の回動方向に対して、支持体183毎に互いに異なる方向、例えば１２０°毎に突出するように形成されており、その突出する角度は、回転羽根177の各羽根部177cの突出角度と対応して、各羽根部177cが開閉弁85A1，85A2、開閉弁85B1，85B2および開閉弁85C1，85C2を開閉するタイミングで叩打体161A，161B，161Cによりプリーツフィルタ92の下流側面を叩打するように構成されている。
【０１３７】
そして、掃除の終了のタイミングなど、ステッピングモータ170の駆動により、主風路W1から副風路W2に切り換えられる際には、ステッピングモータ171の駆動により回転軸171aに連結された回転ギヤ173が図１２中の反時計回り方向に回転することで、この回転ギヤ173にギヤ部175aが歯合されたギヤ175が回動し、このギヤ175のギヤ部175cと歯合されたギヤ部162aにより軸支部162が後方向に回動し、各支持体183の支持片部186の傾斜部186aがそれぞれ対応する角度で叩打体161A，161B，161Cの切欠凹部181に順次接触する。
【０１３８】
この接触により、叩打体161A，161B，161Cが順次後方向に回動し、所定角度まで回動すると、支持片部186が各叩打体161A，161B，161Cの重量に負けて変形して支持体183と叩打体161A，161B，161Cとの係合が外れて、叩打体161A，161B，161Cが自重によって順次復帰位置まで回動することで、叩打部166の叩打面166aによりプリーツフィルタ92の下流側面が叩打され、細塵が除去される。このとき、各叩打体161は、プリーツフィルタ92の下流側の山部を叩打するため、プリーツフィルタ92の上流側の谷部が通常より開いた状態になるので、塵埃がプリーツフィルタ92から剥がれやすくなる。
【０１３９】
同時に、ギヤ175のギヤ部175bとギヤ部177aが歯合した回転羽根177が回動することで、回転羽根177の羽根部177cが、プリーツフィルタ92の下流側面を叩打した叩打体161Aの上側に対応する開閉弁85A1，85A2、叩打体161Bの上側に対応する開閉弁85B1，85B2、叩打体161Cの上側に対応する開閉弁85C1，85C2を、順次開閉することで、開閉弁85が開いた外気導入口82の各小型導入口82aからは、フィルタ部25内に外気が導入され、この外気が、内壁82b，82cにより絞られて流速を速められつつ吹付風路82dからプリーツフィルタ92のプリーツ部92aの上流側面に沿って上側から下側へと吹き付けられ、プリーツフィルタ92に捕集された細塵の一部が除去され、塵落とし部10の叩打体161により下側突出部72a上に落とされた細塵とともに、連通開口72cへと吸い込まれる。
【０１４０】
そして、ステッピングモータ170，171の動作開始から一定時間が経過すると、制御回路は、ステッピングモータ170，171とともに電動送風機５を停止させる。
【０１４１】
この結果、上記第１の実施の形態と同様の作用効果を奏することができる。
【０１４２】
また、塵落とし部10を駆動させるための機構を、回転羽根177を回転させるためのギヤ175に一体に形成したギヤ部175cと軸支部162のギヤ部162aとを歯合させることで構成することにより、第２ギヤ列なども不要となり、塵落とし部10および駆動機構11の構成を、より簡略化できる。
【０１４３】
さらに、各支持体183を軸支部162に取り付け、各叩打体161に切欠凹部181を形成するだけで、各叩打体161が自重によってプリーツフィルタ92の下流側を叩打する構成を容易に形成できるので、軸支部162の加工や、軸支筒部164の内部の加工なども必要なく、構成を簡略化できる。
【０１４４】
しかも、支持片部186の弾性力などを設定するだけで、各叩打体161と支持体183との係合が外れる位置を容易に設定でき、この外れる位置を設定することで、各叩打体161によるプリーツフィルタ92の下流側の叩打強度を容易に設定できる。
【０１４５】
次に、第３の実施の形態を、図１３および図１４を参照して説明する。なお、上記各実施の形態と同様の構成および作用については、同一符号を付してその説明を省略する。
【０１４６】
この第３の実施の形態は、上記第２の実施の形態において、各叩打体161が、付勢手段としてのトーションばね188により、叩打部166側がプリーツフィルタ92側に回動する方向、すなわち図１４に示す左方向に付勢されているものである。
【０１４７】
図１３に示すように、トーションばね188は、対をなすコイル部188a，188a間を付勢片部188bにより接続した、いわゆるダブルトーションばねであり、コイル部188a，188aが軸支筒部164の外方に位置し、これらコイル部188a，188aに軸支部162が挿通されているとともに、付勢片部188bは、突出部165aの下部に係合されている。
【０１４８】
また、各支持片部186は、先端側に傾斜面状の傾斜部186aが形成されており、この傾斜部186a側が、それぞれ各叩打体161の切欠凹部181に、トーションばね188の付勢方向と反対方向から当接している。なお、各支持片部186は、上記第２の実施の形態と同様に、例えば板ばねなどの弾性体によって形成し、各開閉弁85を開閉するタイミングでトーションばね188の付勢力に負けて各支持片部186から各叩打体161が外れてプリーツフィルタ92の下流面側を叩打するように構成してもよい。
【０１４９】
そして、掃除の終了のタイミングなど、ステッピングモータ170の駆動により、主風路W1から副風路W2に切り換えられる際には、ステッピングモータ171の駆動により回転軸171aに連結された回転ギヤ173が図１４中の反時計回り方向に回転することで、この回転ギヤ173にギヤ部175aが歯合されたギヤ175が回動し、このギヤ175のギヤ部175cと歯合されたギヤ部162aにより軸支部162が後方向に回動し、各支持体183の支持片部186の傾斜部186aがそれぞれ対応する角度で叩打体161A，161B，161Cの切欠凹部181に順次接触する。
【０１５０】
この接触により、叩打体161A，161B，161Cがトーションばね188の付勢に抗して順次後方向に回動し、所定角度まで回動すると、傾斜部186aの傾斜形状によって支持体183と叩打体161A，161B，161Cとの係合が外れて、叩打体161A，161B，161Cの自重および各トーションばね188の付勢によって、叩打体161A，161B，161Cが順次復帰位置まで回動することで、叩打部166の叩打面166aによりプリーツフィルタ92の下流側面が叩打され、細塵が除去される。このとき、各叩打体161は、プリーツフィルタ92の下流側の山部を叩打するため、プリーツフィルタ92の上流側の谷部が通常より開いた状態になるので、塵埃がプリーツフィルタ92から剥がれやすくなる。
【０１５１】
同時に、ギヤ175のギヤ部175bとギヤ部177aが歯合した回転羽根177が回動することで、回転羽根177の羽根部177cが、プリーツフィルタ92の下流側面を叩打した叩打体161Aの上側に対応する開閉弁85A1，85A2、叩打体161Bの上側に対応する開閉弁85B1，85B2、叩打体161Cの上側に対応する開閉弁85C1，85C2を、順次開閉することで、開閉弁85が開いた外気導入口82の各小型導入口82aからは、フィルタ部25内に外気が導入され、この外気が、内壁82b，82cにより絞られて流速を速められつつ吹付風路82dからプリーツフィルタ92のプリーツ部92aの上流側面に沿って上側から下側へと吹き付けられ、プリーツフィルタ92に捕集された細塵の一部が除去され、塵落とし部10の叩打体161により下側突出部72a上に落とされた細塵とともに、連通開口72cへと吸い込まれる。
【０１５２】
そして、ステッピングモータ170，171の動作開始から一定時間が経過すると、制御回路は、ステッピングモータ170，171とともに電動送風機５を停止させる。
【０１５３】
この結果、上記各実施の形態と同様の作用効果を奏することができる。
【０１５４】
しかも、各叩打体161は、トーションばね188によりプリーツフィルタ92側へと復帰するように付勢されているので、プリーツフィルタ92を各叩打体161によって強く叩打することが可能となり、プリーツフィルタ92からの除塵効率を向上できる。
【０１５５】
さらに、各トーションばね188のばね係数などを設定することで、各叩打体161によるプリーツフィルタ92の下流側の叩打強度を容易に設定できる。
【０１５６】
なお、上記各実施の形態において、例えば１つの叩打体161がプリーツフィルタ92の下流側を叩打し、この叩打体161に対応する位置の開閉弁85を、次の叩打体161がプリーツフィルタ92の下流側を叩打するまでの間に、１つずつ順次開閉するように構成してもよい。すなわち、回転羽根177の羽根部177cを、１つずつの開閉弁85の当接部88に対応して設け、隣接する羽根部177c同士を軸部177bの回転方向に対して互いに異なる位置に突出するように、例えば６０°毎に配置するように構成してもよい。この場合には、外気導入口82の各小型導入口82aを介してプリーツフィルタ92のプリーツ部92aの上流側面に沿って導入される外気の流速を、より速めることができ、プリーツフィルタ92に付着した塵埃を、より確実に除去できるだけでなく、プリーツフィルタ92に付着した細塵を、より的確に限定した範囲で、すなわち、よりピンポイントに除去できる。
【０１５７】
また、小型導入口82aは、１つずつ別個に開閉させ、各小型導入口82aに対応する位置に叩打体161をそれぞれ設けて、これら叩打体161により順次プリーツフィルタ92の下流側を叩打するとともに、プリーツフィルタ92の下流側を叩打した叩打体161に対応する位置の開閉弁85を開くように構成してもよい。
【０１５８】
さらに、外気導入口82は、小型導入口82aに分割するものだけでなく、長孔状の外気導入口82の必要箇所を複数の開閉弁85により順次開閉しても同様の作用効果を得ることができる。
【０１５９】
そして、開閉弁85を開くタイミングと、叩打体161によりプリーツフィルタ92を叩打するタイミングとは同時でもよいが、叩打体161により叩打した後、開閉弁85を開いて外気を導入して塵埃を除去した方が、より効率がよい。
【０１６０】
また、除去手段としては、叩打によりプリーツフィルタ92の細塵を除去する構成だけでなく、例えばプリーツフィルタ92のプリーツ方向に交差するなどの所定の方向に沿って摺動(往復動)することでプリーツフィルタ92をはじいてこのプリーツフィルタ92に付着した細塵を除去する構成などとしてもよい。この場合には、例えば除去手段の位置を検知するセンサなどの位置検知手段を設け、この位置検知手段により検知した除去手段の位置に対応する位置の開閉弁85を開くように構成することなども可能である。
【０１６１】
さらに、電気掃除機としては、キャニスタ型に限らず、例えば床ブラシ19を掃除機本体１の下部に設けた縦長のアップライト型、ハンディ型、あるいは自律走行式の電気掃除機などであっても、対応させて用いることができる。
【図面の簡単な説明】
【０１６２】
【図１】本発明の第１の実施の形態の電気掃除機の集塵部の開閉弁の開閉動作を示す縦断面図である。
【図２】同上集塵部の除去手段の動作を後方から示す斜視図である。
【図３】同上集塵部の除去手段の他の動作を後方から示す斜視図である。
【図４】同上集塵部の除去手段のさらに他の動作を後方から示す斜視図である。
【図５】同上集塵部の一部を前方から示す斜視図である。
【図６】同上除去手段の一部を示す斜視図である。
【図７】同上除去手段の動作を示す説明断面図であり、(a)は軸支部の平面部と軸支筒部の接触部との接触状態を示す説明断面図、(b)は軸支部の湾曲部での接触部の保持状態を示す説明断面図、(c)は軸支部の湾曲部での接触部の保持状態でさらに軸支部が回転した状態を示す説明断面図、(d)は軸支部による軸支筒部の接触部の保持が外れた状態を示す説明断面図である。
【図８】同上電気掃除機の駆動機構の一部を示す斜視図である。
【図９】同上電気掃除機の掃除機本体を示す斜視図である。
【図１０】同上電気掃除機を示す斜視図である。
【図１１】本発明の第２の実施の形態の電気掃除機の除去手段の一部を示す斜視図である。
【図１２】同上電気掃除機の集塵部を後方から示す斜視図である。
【図１３】本発明の第３の実施の形態の電気掃除機の除去手段の一部を示す斜視図である。
【図１４】同上電気掃除機の集塵部を後方から示す斜視図である。
【符号の説明】
【０１６３】
１    掃除機本体
５    電動送風機
10    除去手段としての塵落とし部
22    集塵部としての集塵部ユニット
82    外気導入口
85    開閉弁
92    細塵フィルタとしてのプリーツフィルタ
177   回転部材としての回転羽根
177b  軸部
177c  当接片としての羽根部
179   回動機構
W1    主風路
W2    副風路
【図１】
2009165690.tif 000003
【図２】
2009165690.tif 000004
【図３】
2009165690.tif 000005
【図４】
2009165690.tif 000006
【図５】
2009165690.tif 000007
【図６】
2009165690.tif 000008
【図７】
2009165690.tif 000009
【図８】
2009165690.tif 000010
【図９】
2009165690.tif 000011
【図１０】
2009165690.tif 000012
【図１１】
2009165690.tif 000013
【図１２】
2009165690.tif 000014
【図１３】
2009165690.tif 000015
【図１４】
2009165690.tif 000016